(57)【要約】  インタラクティブなリーディングを容易にするためのシステム、装置、及び方法が、プログラム又はアプリケーションを有する電子デバイスを含み得る。一実施形態において、アプリケーションは、話を声に出して読むこと及び／又は１若しくは２以上の行為を実行することの結果として生じる、外部データソースと組み合わされた１又は２以上の合図を認識することができる。
2019527887.tif 000002
【特許請求の範囲】
【請求項１】
インタラクティブなリーディング体験を提供するように構成されたシステムであって、
音声を少なくとも１つの電気信号に変換するように構成されたマイクロフォンと、
少なくとも１つの電気信号を音声に変換するように構成されたスピーカと、
少なくとも１つの電気信号を１又は２以上の視覚的表現に変換するように構成されたディスプレイと、
前記マイクロフォン、前記スピーカ、及び前記ディスプレイに動作可能に接続された１又は２以上のプロセッサと、
前記１又は２以上のプロセッサに動作可能に接続され、前記１又は２以上のプロセッサのうちの少なくとも１つによって実行されたとき前記１又は２以上のプロセッサに、
前記マイクロフォンによって複数の異なる聞き取ることができる合図を受け取ることであって、前記複数の異なる聞き取ることができる合図が、所定の原稿からの個人の声に出したリーディングから生じる、受け取ること、並びに
前記スピーカ及び前記ディスプレイのうちの少なくとも一方によって複数の応答を生成することであって、前記複数の応答の各応答が、前記複数の聞き取ることができる合図のうちの１つに基づく、生成すること
を行わせるコンピュータ可読命令を記憶する１又は２以上のメモリとを含む、前記システム。
【請求項２】
複数の応答が、スピーカ及びディスプレイのうちの少なくとも一方によって逐次的に明示される、請求項１に記載のシステム。
【請求項３】
１又は２以上のプロセッサのうちの少なくとも１つによって実行されたとき、１又は２以上のメモリが前記１又は２以上のプロセッサに
複数の聞き取ることができる合図以外のデータを受け取ることであって、前記データが、全地球測位システム（ＧＰＳ，Global Positioning System）ロケータ、モーションセンサー、時計、及びカレンダのうちの少なくとも１つから生じさせられた情報を含む、受け取ることと、
前記データに基づいて１又は２以上の応答を生成することとを行わせ、
前記データに基づく前記１又は２以上の応答のうちの少なくとも１つが、前記複数の聞き取ることができる合図に基づく複数の応答の各々と異なる、請求項１又は２に記載のシステム。
【請求項４】
複数の聞き取ることができる合図が、個人の声に出したリーディングの少なくとも１つの音、語、語句、文章、及び声の抑揚を含む、請求項１又は２に記載のシステム。
【請求項５】
複数の応答が、（ｉ）ディスプレイ上の画像、（ii）前記ディスプレイ上のアニメーション、（iii）スピーカから生じる音、（iv）振動、（ｖ）震え、及び（vi）点滅する光のうちの少なくとも１つを含む、請求項１又は２に記載のシステム。
【請求項６】
所定の原稿が、本、雑誌、出版物、及びウェブサイトのうちの１つである、請求項１又は２に記載のシステム。
【請求項７】
１又は２以上の画像又は動画を記録又はキャプチャするように構成されたカメラであって、１又は２以上のプロセッサに動作可能に接続される、カメラをさらに含み、
前記１又は２以上のプロセッサのうちの少なくとも１つによって実行されたとき、１又は２以上のメモリが前記１又は２以上のプロセッサに
電子デバイスの周りの外部環境から１又は２以上の視覚的合図を受け取ることと、
スピーカ及びディスプレイのうちの少なくとも一方によって１又は２以上の応答を生成することであって、前記１又は２以上の応答の各々が、前記１又は２以上の視覚的合図に基づく、生成することとを行わせる、請求項１又は２に記載のシステム。
【請求項８】
所定の原稿の連続した完全なリーディングが、異なる応答をもたらす、請求項１に記載のシステム。
【請求項９】
１又は２以上のコンピューティングデバイスによって実行されたとき、前記１又は２以上のコンピューティングデバイスに
前記１又は２以上のコンピューティングデバイスのうちの少なくとも１つによって、所定の原稿からの個人の声に出したリーディングから第１の聞き取ることができる合図を受け取ることと、
前記１又は２以上のコンピューティングデバイスのうちの少なくとも１つによって、前記第１の聞き取ることができる合図に基づいて電子デバイスを通じた第１の応答を生成することと、
前記１又は２以上のコンピューティングデバイスのうちの少なくとも１つによって、所定の原稿からの前記個人の声に出したリーディングから第２の聞き取ることができる合図を受け取ることであって、前記第２の聞き取ることができる合図が、前記第１の聞き取ることができる合図と異なり、前記第２の聞き取ることができる合図が、前記第１の聞き取ることができる合図の受け取りの後に受け取られる、受け取ることと、
前記１又は２以上のコンピューティングデバイスのうちの少なくとも１つによって、前記第２の聞き取ることができる合図に基づいて前記電子デバイスを通じた第２の応答を生成することであって、前記第２の応答が、前記第１の応答と異なる、生成することとを行わせるコンピュータ可読コードを記憶する、非一時的コンピュータ可読媒体。
【請求項１０】
第１の応答が、１又は２以上の第１の画像又はアニメーションが電子デバイスのディスプレイ上に示されることを含み、第２の応答が、１又は２以上の第２の画像又はアニメーションが前記電子デバイスの前記ディスプレイ上に示されることを含む、請求項９に記載の媒体。
【請求項１１】
第１の応答が、１又は２以上の第１の音が電子デバイスのスピーカから再生されることであり、第２の応答が、１又は２以上の第２の音が前記電子デバイスの前記スピーカから再生されることを含む、請求項９又は１０に記載の媒体。
【請求項１２】
１又は２以上のコンピューティングデバイスによって実行されたとき、前記１又は２以上のコンピューティングデバイスに
１又は２以上の聞き取ることができる合図以外のデータを受け取ることであって、前記データが、全地球測位システム（ＧＰＳ）ロケータ、モーションセンサー、及び時計のうちの少なくとも１つからの情報を含む、受け取ることと、
前記データに基づいて１又は２以上の第３の応答を生成することとを行わせる、請求項９又は１０に記載の媒体。
【請求項１３】
１又は２以上のデータソースが、少なくとも１つの全地球測位システム（ＧＰＳ）ロケータ、モーションセンサー、及び時計を含む、請求項１２に記載の媒体。
【請求項１４】
１又は２以上の聞き取ることができる合図が、音、語、語句、文章、及び声の抑揚のうちの少なくとも１つを含む、請求項９に記載の媒体。
【請求項１５】
インタラクティブなリーディング体験を生み出すために１又は２以上のコンピューティングデバイスによって実施される方法であって、
ａ）前記１又は２以上のコンピューティングデバイスのうちの少なくとも１つによって、所定の原稿からの個人の声に出したリーディングから１又は２以上の合図を受け取るステップと、
ｂ）前記１又は２以上のコンピューティングデバイスのうちの少なくとも１つによって、前記１又は２以上の合図の各合図に基づいて応答を生成するステップとを含み、
前記１又は２以上の合図のうちの第１の合図に関連する応答が、前記１又は２以上の合図のうちの第２の合図に関連する応答と異なる、前記方法。
【請求項１６】
応答のうちの少なくとも１つが、スピーカによって明示される聞き取ることができる応答である、請求項１５に記載の方法。
【請求項１７】
応答のうちの少なくとも１つが、ディスプレイによって明示される視覚的応答である、請求項１５又は１６に記載の方法。
【請求項１８】
１又は２以上のコンピューティングデバイスのうちの少なくとも１つによって、ステップａ）の前に電子デバイスにアプリケーションをダウンロードするステップと、
前記１又は２以上のコンピューティングデバイスのうちの少なくとも１つによって、ステップａ）の前に前記電子デバイス上で前記アプリケーションを開始するステップとをさらに含む、請求項１５又は１６に記載の方法。
【請求項１９】
１又は２以上のコンピューティングデバイスのうちの少なくとも１つによって、１又は２以上の合図のそれぞれの合図に基づいて物理的応答を生成するステップをさらに含む、請求項１５又は１６に記載の方法。
【請求項２０】
物理的応答が、電子デバイスの振動及び震えのうちの少なくとも一方を含み、視覚的応答が、点滅する光、ディスプレイ上の画像、及び前記ディスプレイ上の動画のうちの少なくとも１つを含む、請求項１９に記載の方法。
【請求項２１】
複数の聞き取ることができる合図以外のデータを受け取るステップであって、前記データが、全地球測位システム（ＧＰＳ）、モーションセンサー、時計、及びカレンダのうちの少なくとも１つから生じさせられた情報を含むステップをさらに含む、請求項１５又は１６に記載に記載の方法。
【請求項２２】
受け取られたデータを記憶された情報と比較するステップと、
前記データと前記記憶された情報との間に一致がある場合、前記データに基づいて１又は２以上の応答を生成するステップとをさらに含む、請求項２１に記載の方法。
【発明の詳細な説明】
【技術分野】
【０００１】
関連出願の相互参照
本出願は、２０１６年７月１３日に出願した、「Ｓｙｓｔｅｍ  ａｎｄ  Ｍｅｔｈｏｄ  ｆｏｒ  Ｉｎｔｅｒａｃｔｉｖｅ  Ｒｅａｄｉｎｇ」と題した米国仮出願第６２／３６１，６４４号明細書の優先権を主張するものであり、この米国仮出願は、その全体が参照により本明細書に組み込まれる。
【背景技術】
【０００２】
音声の合図又は声に出したリーディングに応答するデバイスを提供することが、知られている。例えば、米国特許出願公開第２００６／００７３４４４号明細書は、本の読者が、デバイス上で適切なトラックを選択するために本の中の目印（indicia）を電子的にスキャンするために符号化目印デバイスを使用することを開示する。さらに、米国特許出願公開第２００９／０２４６７４９号明細書は、ポータブルプロジェクター及び紫外線を含む光信号の使用を開示する。
【先行技術文献】
【特許文献】
【０００３】
【特許文献１】米国特許出願公開第２００６／００７３４４４号明細書
【特許文献２】米国特許出願公開第２００９／０２４６７４９号明細書
【発明の概要】
【課題を解決するための手段】
【０００４】
ここに開示される技術は、上述の及びその他の従来技術の欠点を克服し、さらなる利点を提供する。例えば、一実施形態において、ここに開示される技術は、本又はその他の読み物がそれらの上又は中に任意の電子的識別子を有することを必要としない。一実施形態において、ここに開示される技術は、１又は２以上のユーザからの発話された語によってアクティブ化されたコンテンツを表示し、そのコンテンツとインタラクションすることができるタッチスクリーンディスプレイを使用する。
【０００５】
一実施形態において、本開示は、概して、インタラクティブなリーディングを可能にするか又は容易にするシステム及び方法に関する。１つの特定の実施形態においては、コンピュータアプリケーションが、子どもを本又は話に没頭させるのに役立つ。読者又は閲覧者の想像力が、伸ばされるか又は広げられ、それによって、本又は話のリーディングから気を逸らすことなく他にはない体験及び雰囲気を作り出すことができる。話が声に出して読まれるとき、アプリケーションは、音、色、モーションなどによって本の場面及び雰囲気を生き生きさせることができ、それらの音、色、モーションなどのすべては、アプリケーションから生成され得る。（音響効果、静止グラフィックス、アニメーションなどを含み得る）これらの場面は、読者の動き、地理的位置、時刻、季節のイベント、祝日、及び祭礼の自動カレンダ（automatic calendar）、並びにその他の変わり得る外部データソースなどの、デバイスを介して得られる外部データソースに応答してトリガされ、変更され得る。この体験は、読み続けるように子どもに促し、読む理由を子どもに与えることができる。読者は、自身の出版物のための独自の場面を生成することもできる。
【０００６】
別の実施形態において、本開示は、インタラクティブなリーディング体験を提供するように構成され得るシステムに関する。システムは、音声を少なくとも１つの電気信号に変換するように構成されたマイクロフォンと、少なくとも１つの電気信号を音声に変換するように構成されたスピーカと、少なくとも１つの電気信号を１又は２以上の視覚的表現に変換するように構成されたディスプレイと、マイクロフォン、スピーカ、及びディスプレイに動作可能に接続された１又は２以上のプロセッサと、１又は２以上のプロセッサに動作可能に接続され、１又は２以上のプロセッサのうちの少なくとも１つによって実行されたとき１又は２以上のプロセッサに、所定の原稿からの個人の声に出したリーディングからマイクロフォンによって複数の異なる聞き取ることができる合図を受け取ること、並びにスピーカ及びディスプレイのうちの少なくとも一方によって複数の応答を生成することであって、複数の応答の各応答が、複数の聞き取ることができる合図のうちの１つに基づく、生成することを行わせるコンピュータ可読命令を記憶する１又は２以上のメモリとを含み得る。
【０００７】
さらに別の実施形態において、本開示は、１又は２以上のコンピューティングデバイスによって実行されたとき、１又は２以上のコンピューティングデバイスに、１又は２以上のコンピューティングデバイスのうちの少なくとも１つによって、所定の原稿からの個人の声に出したリーディングから第１の聞き取ることができる合図を受け取ることと、１又は２以上のコンピューティングデバイスのうちの少なくとも１つによって、第１の聞き取ることができる合図に基づいて電子デバイスを通じた第１の応答を生成することと、１又は２以上のコンピューティングデバイスのうちの少なくとも１つによって、所定の原稿からの個人の声に出したリーディングから第２の聞き取ることができる合図を受け取ることであって、第２の聞き取ることができる合図が、第１の聞き取ることができる合図と異なる、受け取ることと、１又は２以上のコンピューティングデバイスのうちの少なくとも１つによって、第２の聞き取ることができる合図に基づいて電子デバイスを通じた第２の応答を生成することであって、第２の応答が、第１の応答と異なる、生成することとを行わせるコンピュータ可読コードを記憶する非一時的コンピュータ可読媒体に関する。
【０００８】
さらなる実施形態において、本開示は、インタラクティブなリーディング体験を生み出すために１又は２以上のコンピューティングデバイスによって実施される方法に関する。方法は、１又は２以上のコンピューティングデバイスのうちの少なくとも１つによって、所定の原稿からの個人の声に出したリーディングから１又は２以上の合図を受け取るステップと、１又は２以上のコンピューティングデバイスのうちの少なくとも１つによって、１又は２以上の合図の各合図に基づいて応答を生成するステップとを含み得る。１又は２以上の合図のうちの第１の合図に関連する応答は、１又は２以上の合図のうちの第２の合図に関連する応答と異なる可能性がある。
【図面の簡単な説明】
【０００９】
本発明の上述の概要及び以下の詳細な説明は、添付の図面と関連して読まれたときにより深く理解される。本発明を例示する目的で、さまざまな例示的な実施形態が図面に示される。しかし、本発明は、示される厳密な構成及び手段に限定されないことを理解されたい。
【図１】本開示の実施形態による多くの構成要素及びステップを示す図である。
【図２】本開示の実施形態による多くの構成要素及びステップを示す図である。
【図３】本開示の実施形態による多くの構成要素及びステップを示す図である。
【図４】本開示の実施形態によるいくつかのステップを示す図である。
【図５】本開示の実施形態による多くの構成要素及びステップを示す図である。
【図６】本明細書において開示されるプロセスを実行するのに有用な例示的なコンピューティングデバイスを示す図である。
【図７】本開示の実施形態によるいくつかのステップを示す図である。
【発明を実施するための形態】
【００１０】
特定の用語が、以下の説明において単に便宜上使用され、限定的でない。本明細書において使用される特定の語は、参照される図面における方向を示す。本明細書においてはっきりと述べられない限り、用語「ａ」、「ａｎ」、及び「ｔｈｅ」は、１つの要素に限定されず、むしろ、「少なくとも１つの」を意味すると読まれるべきである。用語は、上述の語、それらの派生語、及び類似した意味の語を含む。
【００１１】
全体を通じて同様の参照番号が同様の要素を示す図面を詳細に参照すると、図１〜図７は、インタラクティブなリーディングを容易にするか又は促進するために設計されたシステム及び方法を示す。システム及び方法は、プログラム若しくはアプリケーションを有するか又はプログラム若しくはアプリケーションにアクセスすることができるハンドヘルドモバイル電話又はタブレット又はその他のコンピューティングデバイスなどの電子デバイスを含み得る。電子デバイスのアプリケーション及び／又は１若しくは２以上の部分は、話を声に出して読んだ結果として生じる１又は２以上の聞き取ることができる合図を（１又は２以上の）データ点と一緒に認識して、そして、それらの聞き取ることができる合図に対する応答を生じさせることができる。言い換えると、電子デバイスのアプリケーション及び／又は１若しくは２以上の部分は、発話されたときに、電子デバイスによって特定のコンテンツを自動的に再生するか又は開始するようにアプリケーションをトリガする聞き取ることができる合図を「聞く」ことができる音声認識技術（例えば、音声認識チップ、マイクロフォン、スピーカ、及び汎用又は特定用途向けプロセッサ又は集積回路）を使用し得る。特定のコンテンツは、話及び環境に関連するように設計される。
【００１２】
一実施形態の動作中に、ユーザ又は読者が話を声に出して読むとき、アプリケーションは、１又は２以上の聞き取ることができる合図（例えば、音、単語、語句、文章、抑揚など）及び１又は２以上の感知された又は受信されたデータ点又はその他の外部情報を特定及び／又は認識することができ、それらに対する１又は２以上の応答を生成する。１又は２以上の応答は、電子デバイスの画面上に画像、アニメーション、動画、及び／若しくはゲームを表示すること、並びに／又はコンピュータデバイスの１若しくは２以上のスピーカを通じた聞き取ることができるうるさい音若しくは歌を生成すること、振動すること、点滅すること、などである可能性がある。１又は２以上の応答は、話を補足又は向上させ、読者／閲覧者を熱中させるか又はより一層熱中させることができる。１又は２以上の応答は、ユーザの環境に合わせてより個人化されるように外部データソースによって影響を受ける可能性がある。
【００１３】
話は、本、雑誌、出版物、新聞、電子ブック、ウェブサイト、コンピュータアプリケーション、ゲーム（例えば、ボードゲーム）、広告掲示板などから読まれる可能性がある。電子デバイスは、ハンドヘルドモバイル電話又はタブレットであるように限定されない。そうではなく、電子デバイスは、ラップトップコンピュータ、デスクトップコンピュータ、テレビ、ウェアラブル電子デバイス（例えば、スマートウォッチ）などである可能性がある。電子デバイスのアプリケーション及び／又は１若しくは２以上の部分は聞き取ることができる合図を認識することができるが、代替的に又は追加的に、電子デバイスのアプリケーション及び／又は１若しくは２以上の部分は、（例えば、電子デバイスのカメラを通した）視覚的合図及び／又は物理的合図（例えば、電子デバイスを振ること若しくはねじること）を認識する可能性がある。視覚的及び／又は物理的合図は、アプリケーション及び／又は電子デバイスからの応答をトリガする可能性がある。
【００１４】
図１及び図２は、本開示の実施形態を示す。例えば、語句「あらゆる種類の瓶と広口瓶」が声に出して読まれるとき、電子デバイスのアプリケーション及び／又は１若しくは２以上の部分は、それを特定及び／又は感知することができ、広口瓶がガタガタ及びカチカチいう音を電子デバイスのスピーカに出させることができる。代替的に又は追加的に、電子デバイスのアプリケーション及び／又は１若しくは２以上の部分は、材料が声に出して読まれることをアプリケーションが感知した後、ゴボゴボ及びガタガタいう音をスピーカに出させることができる。材料が声に出して読まれるとき、電子デバイスのアプリケーション及び／又は１若しくは２以上の部分は、コンピュータエレクトロニック（computer electronic）のディスプレイに、液体でいっぱいであるように見えるようにさせ、蒸気を表示させ、クロコダイルの写真を示させ、及び／又は回転する画像を表示させることができる。もちろん、複数の応答（それらの応答の例は上で説明されている）のいずれかが生成又は実行され得る。一実施形態においては、話が読まれるにつれて複数の応答が順次再生され得るように、各応答は、数秒の間だけ続き得る。
【００１５】
一実施形態において、トリガ又は応答の複数の組が、それぞれの話に関して生成される可能性がある。したがって、話が読まれる度に、話の異なる要素は、アプリケーションによって対処される又は生き生きさせられる可能性がある。例えば、特定の話が初めて読まれるとき、電子デバイスのアプリケーション及び／又は１若しくは２以上の部分は、１０個の応答のうちの３つを生じさせる可能性がある。同じ話が２度目に読まれるとき、電子デバイスのアプリケーション及び／又は１若しくは２以上の部分は、どの３つの応答が既に生じさせられたかを（例えば、メモリによって）思い出すことができ、さらなる又は代替的な応答を生じさせることができる。
【００１６】
一実施形態において、同じ話が異なるデータ点、例えば、異なるジオロケーション、異なる時刻、異なる季節、異なる個人又は読者、話が声に出して読まれる異なる速さ、読者による異なる声の抑揚などを使用して読まれるとき、アプリケーションは、応答の１又は２以上の変化形を生成し得る。例えば、１又は２以上の場面及び／又は音が、読者の動き、読者の声の抑揚、地理的位置、時刻、季節のイベント、祝日、及び祭礼の自動カレンダ、並びにその他の変わり得る外部データソースなどの、デバイスを介して得られる外部データソースによってトリガされ、変更され得る。
【００１７】
この実施形態の一例は、キャラクタが馬に乗って逃げようとしている冒険についてユーザが読むことである。デバイスは、馬がギャロップで駆ける音によって応答する可能性があるが、ギャロップの音のペース及び／又はボリュームは、デバイスの動きによって影響を受ける可能性があり、つまり、デバイスを速く動かすこと又はセル電話を速く振ることが、より速いギャロップをもたらす。この実施形態の別の例は、現在日付のデータを与えられるデバイスによって、１２月の間、背景にお祭りの音楽を再生することを含む。
【００１８】
図３は、電子デバイス上で特定の活動を完了させるか又は見るようにユーザ又は読者に指示する本開示の別の実施形態を示す。例えば、語句「今度はあなたの番」が声に出して読まれるとき、電子デバイスのアプリケーション及び／又は１若しくは２以上の部分は、ユーザがディスプレイの特定の部分にタッチすることによって操作されるか又は動かされる可能性がある一連のレバー及びボタンを電子デバイスのディスプレイに示させることができる。ユーザがボタンのうちの１又は２以上にタッチすることを感知すると、アプリケーションは、ディスプレイにアニメーションされる動画を再生させる、並びに／又はスピーカに音及び／若しくは歌を発させる可能性がある。動画は、どのボタン又はレバーがユーザ又は読者によって選択されるかに応じて異なる可能性がある。
【００１９】
図４は、本開示の、全体を４００と表される方法の実施形態を示す。ユーザ又は読者は、本及び／又はＨａｐｐｙ  Ｍｅａｌ（登録商標）などの製品を購入又は取得することができる（ステップ４０２）。製品は、ユーザがアプリケーションを電子デバイスに（例えば、インターネットから）インストールするか又はダウンロードするための情報又は指示を（例えば、指示カード、本、又はおもちゃに）含み得る（ステップ４０４）。ユーザは、アプリケーションに登録するか又はログインする必要があってもなくてもよい（ステップ４０６）。ユーザは、電子デバイスのディスプレイ上の１又は２以上のアイコンを選択又はクリックすることによってインタラクティブなリーディングの行使を開始することができる（ステップ４０８）。代替的に、アプリケーションが自動的にロードされる可能性がある。どちらの場合も、アプリケーションは、ユーザ又は読者からの合図を聞く又は感知するように準備され得る。
【００２０】
図５は、アプリケーションがロードされたか又は作動させられたときの本開示の方法の実施形態を示す。最初に、電子デバイスのアプリケーション及び／又は１若しくは２以上の部分が、電子デバイスのディスプレイに、ユーザ又は読者に話を選択するように促させることができる（ステップ５０２）。一実施形態において、利用可能な又は表示される話のリストは、所定の時間期間（例えば、各週）に基づいて制限される可能性がある。例えば、２つの話が、第１の週の間利用され得る可能性があり、２つのさらなる話が、その後の各週に利用され得る可能性がある。各週に関して、アプリケーションは、話に固有のアセット（asset）又は情報をロードすることができる。
【００２１】
話が選択されると、電子デバイスのアプリケーション及び／又は１若しくは２以上の部分が、電子デバイスのディスプレイに、ユーザ又は読者に指示又は助言を与えさせることができる（ステップ５０４）。助言の例は、最も良い結果を得るために話の各語を大きな声で、ゆっくりと、はっきり読むことである。それから、ユーザは、アプリケーションに聞き取ることができる合図を「聞くこと」を開始させるために「開始」又は「始動」ボタンを選択することができる。もちろん、ユーザ又は読者は、ディスプレイ上の適切なコントロールを使用して先に進むか又は後ろに戻ることができる。インタラクティブなリーディングの方法は、上で説明され、図１〜図３に示されたように継続し得る。
【００２２】
上述のシステム及び／又は方法のうちの１又は２以上は、１又は２以上の電子デバイス６１０（図６参照）上で実行されるソフトウェア、例えば、モジュールによって実装されるか、又は１又は２以上の電子デバイス６１０（図６参照）上で実行されるソフトウェア、例えば、モジュールを含む可能性がある。もちろん、本明細書において説明されるモジュールは、さまざまな機能を例示し、いかなる実施形態の構造又は機能も限定しない。むしろ、さまざまなモジュールの機能は、さまざまな設計の考慮事項に応じてより多くの又はより少ないモジュールによって異なるように分割され、実行される可能性がある。
【００２３】
各電子デバイス６１０は、１又は２以上のストレージデバイス６１３上に非一時的に記憶された命令、例えば、コンピュータ可読命令（つまり、コード）を処理するように設計された１又は２以上の処理デバイス６１１を含み得る。命令を処理することによって、（１又は２以上の）処理デバイス６１１は、本明細書において開示されるステップ及び／又は機能のうちの１又は２以上を実行する可能性がある。各処理デバイスは、現実的であるか又は仮想的である可能性がある。マルチプロセッシングシステムにおいては、処理能力を高めるために、複数の処理ユニットが、コンピュータが実行可能な命令を実行する可能性がある。（１又は２以上の）ストレージデバイス６１３は、任意の種類の非一時的ストレージデバイス（例えば、光ストレージデバイス、磁気ストレージデバイス、ソリッドステートストレージデバイスなど）である可能性がある。（１又は２以上の）ストレージデバイス６１３は、取り外し可能であるか又は取り外し不可能である可能性があり、磁気ディスク、磁気テープ若しくはカセット、ＣＤ−ＲＯＭ、ＣＤ−ＲＷ、ＤＶＤ、又は情報を記憶するために使用され得る任意のその他の媒体を含む。代替的に、命令は、１又は２以上の遠隔のストレージデバイス、例えば、ネットワーク又はインターネットを介してアクセスされるストレージデバイスに記憶される可能性がある。
【００２４】
各電子デバイス６１０は、さらに、メモリ６１２、１若しくは２以上の入力コントローラ６１６、１若しくは２以上の出力コントローラ６１５、及び／又は１若しくは２以上の通信接続６４０を有する可能性がある。メモリ６１２は、揮発性メモリ（例えば、レジスタ、キャッシュ、ＲＡＭなど）、不揮発性メモリ（例えば、ＲＯＭ、ＥＥＰＲＯＭ、フラッシュメモリなど）、又はこれらの何らかの組合せである可能性がある。少なくとも１つの実施形態において、メモリ６１２は、説明される技術を実装するソフトウェアを記憶する可能性がある。
【００２５】
バス、コントローラ、又はネットワークなどの相互接続メカニズム６１４が、（１又は２以上の）プロセッサ６１１、メモリ６１２、（１又は２以上の）ストレージデバイス６１３、（１又は２以上の）入力コントローラ６１６、（１又は２以上の）出力コントローラ６１５、（１又は２以上の）通信接続６４０、及び任意のその他のデバイス（例えば、ネットワークコントローラ、サウンドコントローラなど）を含むコンピューティングデバイス６１０の構成要素を動作可能に接続する可能性がある。（１又は２以上の）出力コントローラ６１５は、（１又は２以上の）出力コントローラ６１５が（例えば、実行されるモジュールに応答して）デバイス上の表示を変換することができるように１又は２以上の出力デバイス６２０（例えば、モニタ、テレビ、モバイルデバイスのスクリーン、タッチディスプレイ、プリンタ、スピーカなど）に（例えば、有線又はワイヤレス接続によって）動作可能に接続される可能性がある。（１又は２以上の）入力コントローラ６１６は、入力がユーザから受け取られ得るように入力デバイス６３０（例えば、マウス、キーボード、タッチパッド、スクロールボール、タッチディスプレイ、ペン、ゲームコントローラ、音声入力デバイス、スキャンデバイス、デジタルカメラなど）に（例えば、有線又はワイヤレス接続によって）動作可能に接続される可能性がある。
【００２６】
（１又は２以上の）通信接続６４０は、別のコンピューティングエンティティとの通信媒体を介した通信を可能にする。通信媒体は、変調されたデータ信号内でコンピュータが実行可能な命令、音声若しくは動画情報、又はその他のデータなどの情報を運ぶ。変調されたデータ信号は、その信号の特徴のうちの１又は２以上を、信号中に情報を符号化するような方法で設定又は変更させる信号である。限定ではなく例として、通信媒体は、電気、光、ＲＦ、赤外線、音響、又はその他のキャリアによって実装される有線又はワイヤレス技術を含む。
【００２７】
図６は、ただ特定を容易にするために電子デバイス６１０、出力デバイス６２０、及び入力デバイス６３０を別々のデバイスとして示す。しかし、電子デバイス６１０、（１若しくは２以上の）ディスプレイデバイス６２０、及び／又は（１若しくは２以上の）入力デバイス６３０は、別々のデバイスである可能性があり（例えば、モニタ及びマウスに有線で接続されたパーソナルコンピュータ）、単一のデバイスに統合される可能性があり（例えば、スマートフォン若しくはタブレットなどのタッチディスプレイを有するモバイルデバイス）、又はデバイスの任意の組合せである可能性がある（例えば、タッチスクリーンディスプレイデバイスに動作可能に接続されたコンピューティングデバイス、単一のディスプレイデバイス及び入力デバイスに取り付けられた複数のコンピューティングデバイスなど）。電子デバイス６１０は、１又は２以上のサーバ、例えば、ネットワーク化されたサーバのファーム、クラスタリングされたサーバ環境、又は遠隔のコンピューティングデバイス上で実行される（１若しくは２以上の）クラウドサービスである可能性がある。データソース６５０は、１又は２以上の外部ソースなどからデバイス６１０にデータを提供することができる。データソース６５０は、デバイス６１０の外になる可能性があり、インターネットなどの通信方法によって提供されるか、又はインターネットなどの通信方法に接続される可能性がある。
【００２８】
図７は、本開示の、全体を７００と表される方法の実施形態を示す。データソース又は複数のデータソース（ｎ）が、デバイスに入力され得る（ステップ７０２）。代替的に、デバイスは、１又は２以上のデータソースからデータを受信し得る。デバイスは、（１又は２以上の）データソースからイベント又は情報を継続的に受信する及び／又は聞くことができる（ステップ７０４）。デバイスは、イベント又は情報をデバイスに記憶されたイベント又は情報と比較することができる（ステップ７０６）。記憶されたイベント／情報と受信されたデータのイベント／情報との間に一致がある場合、デバイスは、データソースの現在の状態に対して保存された応答を処理するか又は開始して新しい他にはない応答を生成することができる（ステップ７０８及びステップ７１０）。それから、デバイスは、視覚的、聴覚的、及び／又は物理的に提示される可能性がある最終的な応答を出力することができる（ステップ７１２）。
【００２９】
従来技術のシステム及び方法とは対称的に、本開示のシステム及び方法は、本の中で拡張現実及び／又はマーカーをアクティブ化するために電話を特定の位置又は向きに保持することをユーザに求めない。本開示のシステム及び方法は、予め印刷された目標に頼らない。また、本開示のシステム及び方法は、本開示がユーザからの合図を感知するためにカメラのみに頼ることに加えて又はカメラのみに頼る代わりにオーディオ又はモーションセンサーを使用する可能性があるので、合図を感知するために電子デバイスのカメラに頼ることに限定されない。本開示のシステム及び方法は、アプリケーションが同じ合図に対して異なる反応を生成し得るので、話へのユーザの関心を効果的に高めることができる。
【００３０】
上述の実施形態の広い発明の概念を逸脱することなく上述の実施形態に対して変更がなされる可能性があることは、当業者に理解されるであろう。したがって、本開示は開示された特定の実施形態に限定されず、添付の請求項によって画定される本開示の趣旨及び範囲内の修正を包含することが意図されることが理解される。
【図１】
2019527887.tif 000003
【図２】
2019527887.tif 000004
【図３】
2019527887.tif 000005
【図４】
2019527887.tif 000006
【図５】
2019527887.tif 000007
【図６】
2019527887.tif 000008
【図７】
2019527887.tif 000009
【国際調査報告】
2019527887.tif 000010